(57)【要約】      （修正有）【課題】リュックサック仕様とショルダーポーチ仕様、手提げポーチ仕様に切り替えることができるとともに、リュックサックや身体につけた状態で、内容物を出し入れすることができるポーチを提供する。【解決手段】ポーチ１１は、袋本体上部にカラビナ１２を取り付けられる連結部材１３を設け、当該連結部材にカラビナを取り付ける。また袋本体上部には一対の穴を設け、ハトメで強度をつける。袋本体上部内側にブロックテーピーを両面に取り付ける。袋本体外側に２個のポケットを作り、片方はファスナー１８で開閉できるようにする。袋本体の生地全体裏側はニット素材を貼り合わせ、内容物を外部からの衝撃を緩和する。【選択図】図２
0003224038.tif 000002
【実用新案登録請求の範囲】
【請求項１】
袋本体上部にカラビナを取り付けられる連結部材を設け、当該連結部材にカラビナを取り付けてリュックサックの肩紐下部に取り付けることで、リュックサックの肩紐下部に取り付け可能としたことを特徴とするポーチ。
【請求項２】
前記袋本体の外側上部に一対の穴を設けフック付きストラップを取り付けることでショルダーポーチや手提げポーチとして使用できることを特徴とする請求項１記載のポーチ。
【請求項３】
前記袋本体は開口部内側の幅方向中央部にブロックテーピーを前後に取り付けること
特徴とする請求項２記載のポーチ。
【請求項４】
前記袋本体は外側の表面にポケットを備え、裏面のポケットは開閉可能なファスナー付ポケットを備えていることを特徴とする請求項３記載のポーチ。
【請求項５】
前記袋本体生地は生地裏面にニット素材を貼り合わせていることを特徴とする請求項１乃至請求項４記載のポーチ
【考案の詳細な説明】
【技術分野】
【０００１】  本考案は、ポーチに関してのものであり、詳しくはリュックサックポーチ仕様とショルダーポーチ仕様、手提げポーチ仕様とに使用できるよう工夫したポーチに関するものである。
【背景技術】
【０００２】  従来、リュックサックからスマートフォンや携帯電話、パスケースや小型の財布、鍵等の貴重品などを取り出す際には、リュックサックを下ろして、ファスナーを開き、取り出す必要があり、時間がかかっていた。リュックサックにサイドポケットがついている場合にも、ふたがないもの場合が多く、中に入れたものが落下する可能性があった。またリュックサックに取り付けるカラビナ等が付いたポーチもあるが、リュックサックに取り付けるための専用のポーチであり、他の方法で身に着けることはできなかった。
【考案の概要】
【考案が解決しようとする課題】
【０００３】  本考案は、内容物の少ないポーチをリュックサックポーチ仕様とショルダーポーチ仕様、手提げポーチ仕様に切り替えることができるとともに、ポーチをリュックサックや身体につけた状態で、内容物を出し入れするために考案されたものである。
【課題を解決するための手段】
【０００４】  上記目的を達成するため、本考案のポーチは、袋本体上部にカラビナを取り付けられる連結部材を設け、当該連結部材にカラビナを取り付ける。また袋本体上部には一対の穴を設け、ハトメで強度をつける。袋本体上部内側にブロックテーピーを両面に取り付ける。袋本体外側に２個のポケットを作り、片方はファスナーで開閉できるようにする。袋本体の生地全体裏側にニット素材を貼り合わせる。以上の構成からなるポーチにより、問題点を解決する。
【考案の効果】
【０００５】  本考案のポーチによれば本体上部のカラビナをリュックサックの肩紐下部に取り付けることでリュックサックポーチ仕様にすることができる。また袋本体上部にある一対の穴にフック付きのストラップを取り付けることでショルダーポーチや手提げポーチ仕様にすることができるとともに、ポーチをリュックサックや身体に着けた状態で、内容物の取り出しを行うことができる。【０００６】  また袋本体の開口部内側の幅方向中央部にブロックテーピーを前後に取り付けることにより、開口部の開閉をホックのように場所がずれると止められないということがなく、ある程度の許容範囲でマジックテープのように留められ、しかもマジックテープ特有のバリバリと言う音を出さずに留められることができ、またばねホックやマグネットホックに比べ、中身を入れた場合にその重量でも外れにくく、盗難防止などの安全性の向上を図ることができる。【０００７】  また、袋本体には外側両面にポケットを備え、裏面のポケットは開閉可能なファスナー付ポケットを備えていることにより、貴重品を入れた場合の安全性が上がる。更に袋生地は布地裏面にニット素材を貼り合わせ、内容物を外部からの衝撃を緩和することができる。
【図面の簡単な説明】
【０００８】
【図１】  本考案の一形態例を示すリュックサックポーチ仕様のポーチの正面図である。
【図２】  同じくリュックサックポーチ仕様のポーチの裏面図である。
【図３】  同じくリュックサックポーチ仕様の開口部から内側を見た図である。
【図４】  同じくリュックサックポーチ仕様の使用状態を示す図である。
【図５】  同じくショルダーポーチ仕様のポーチの正面図である。
【図６】  同じく手提げポーチ仕様のポーチの正面図である。
【考案を実施するための形態】
【０００９】  図１乃至図６は、本考案のポーチの一形態を示す図で、本形態例のポーチはスマートフォンや携帯電話、パスケースや小型の財布、鍵等の貴重品が収納可能な程度の小容量の小型ポーチで、すぐに取り出したいものを入れてリュックサックの肩紐につけて使用したり、ストラップを付けて使用される。
【００１０】  ポーチ１１は袋本体１１ｃに表ポケット生地１１ａと裏ポケット生地１１ｂを縫い合わせて形成された袋本体に連結部材１３を取り付け、カラビナ１２を付け、袋本体上部に一対の穴を設けハトメで強化する。
【００１１】  カラビナ１２に丸型カラビナを使用すると、リュックサックの肩紐に取り付けた時にポーチをより安定して留めることができる。
【００１２】  裏ポケット生地１１ｂは、上部ファスナー１８により開閉可能なポケットに形成される。
【００１３】  袋本体開口部内側にはブロックテーピー１９を両面に縫い付けて取り付ける。
【００１４】  このように形成されたポーチ１１は、図４に示されるようにリュックサックの肩紐下部に取り付けることによりリュックサックポーチ仕様として利用される。
【００１５】  さらに図５と図６に示されるようにフック２３付のショルダーストラップ２２や手提げストラップ２４を付けることによりショルダーポーチや手提げポーチ仕様とすることができる。
【００１６】  上述のポーチ１１によれば内容物を本体部分、前部ポケット、裏部ファスナー付ポケットに分けて入れることができ、内容物を整理しやすくすることができ、また貴重品や小さなものはファスナー付ポケットに入れ紛失を防ぐことができる。
【００１７】  また本考案のポーチは生地裏面にニット素材を貼り合わせ内容物を外部からの衝撃を緩和することができる。
【００１８】  なお、本考案のポーチは、カラビナをリュックサックの肩紐でなくバックの持ち手に取り付けることでバックにつけた取り出しやすい小物入れポーチとして利用することもできる。
【符号の説明】
【００１９】１１…ポーチ
１１ａ…表ポケット生地
１１ｂ…裏ポケット生地
１１ｃ…袋本体
１２…カラビナ
１３…連結部材
１４…飾りロゴ入りカシメ
１５…連結部材を本体に留めるカシメ
１６…ハトメ穴
１７…表ポケット入り口部
１８…ファスナー
１８ａ…ファスナースライダー
１９…ブロックテーピー
２０…リュックサック
２１…リュックサック用肩紐
２２…ショルダーストラッ、
２３…フック
２４…手提げストラップ
２５…袋内側生地
【図１】
0003224038.tif 000003
【図２】
0003224038.tif 000004
【図３】
0003224038.tif 000005
【図４】
0003224038.tif 000006
【図５】
0003224038.tif 000007
【図６】
0003224038.tif 000008